(57)【要約】【課題】全体をコンパクトにして、携帯機器を簡単かつ容易に脱着し、しかも、携帯機器に内蔵している二次電池を確実に充電する。【解決手段】充電置台は、二次電池を内蔵する電子機器１を傾斜する姿勢で装着して、充電端子１３を機器１の電源端子１２に接続して、機器１に内蔵している二次電池を充電する。この充電置台は、機器１を脱着できるように装着する装着凹部３を上面に有するケース２と、このケース２に連結されると共に、装着された機器１を支持する支持体とを備える。この支持体は、機器１の非装着状態においては、機器１の装着状態での支持体の位置より、下方に位置するようにしている。【選択図】  図５
2004228001.tif 000002
【特許請求の範囲】
【請求項１】
二次電池を内蔵する電子機器（１）を傾斜する姿勢で装着して、充電端子（１３）を機器（１）の電源端子（１２）に接続して、機器（１）に内蔵している二次電池を充電する充電置台であって、
機器（１）を脱着できるように装着する装着凹部（３）を上面に有するケース（２）と、ケース（２）に連結されると共に、装着された機器（１）を支持する支持体とを備え、
該支持体は、機器（１）の非装着状態においては、機器（１）の装着状態での支持体の位置より、下方に位置することを特徴とする充電置台。
【請求項２】
支持体は開閉できる開閉蓋（４）として機能し、該開閉蓋（４）は、回転軸（５）を介して開閉できるようにケース（２）に連結されると共に、開いて機器（１）を装着する状態で機器（１）の上面を係止する係止部（９）を上部に備えており、
ケース（２）は、開閉蓋（４）の回転軸（５）が、回転できると共に、上下に移動できるように保持する軸穴（６）を有する請求項１に記載される充電置台。
【請求項３】
開閉蓋（４）は、開いた状態で、ケース（２）に嵌合される嵌合凸部（８）を下方に突出するように備え、
開いた状態の開閉蓋（４）の回転軸（５）を、ケース（２）の軸穴（６）において、降下位置に位置させる状態で、ケース（２）は、開閉蓋（４）の嵌合凸部（８）を嵌合して、開閉蓋（４）を保持する嵌合凹部（７）を備えており、
開閉蓋（４）の回転軸（５）を、ケース（２）の軸穴（６）において、上昇位置に位置させる状態で、開閉蓋（４）を開いて機器（１）を装着できると共に、開閉蓋（４）が開閉できる請求項２に記載される充電置台。
【請求項４】
充電する機器（１）が二次電池を内蔵するデジタルカメラである請求項１に記載される充電置台。
【請求項５】
ケース（２）に設けている装着凹部（３）に、機器（１）の底面に配設される電源端子（１２）に弾性的に押圧して接触される充電端子（１３）を備える請求項１に記載される充電置台。
【発明の詳細な説明】
【０００１】
【発明の属する技術分野】
本発明は、デジタルカメラ等の携帯機器を傾斜する姿勢で装着して内蔵する二次電池を充電する充電置台に関する。
【０００２】
【従来の技術】
携帯機器を脱着できるようにセットして、内蔵している二次電池を充電する充電置台は、携帯機器に設けている電源端子に充電端子を確実に電気接続することが大切である。このことを実現するために、特許文献１に記載される充電置台が開発されている。この充電置台は、図１の断面図に示すように、携帯機器２１を脱着できるように装着する凹部２３をケース２２の上面に設け、ここに携帯機器２１を入れて充電する。携帯機器２１をしっかりと保持し、携帯機器の電源端子に充電端子を確実に接触させるために、ケース２２に設けている凹部２３は、携帯機器２１の全体を入れるこができる大きさとしている。さらに、凹部２３に入れた携帯機器２１をバネ２４で押圧して、電源端子と充電端子とを確実に電気接続できる。
【０００３】
【特許文献１】
特開平６−２１５７４３号公報
【０００４】
【発明が解決しようとする課題】
しかしながら、以上の構造の充電置台は、携帯機器の全体をケースに設けた凹部に入れて充電するので、充電置台が大きくなる欠点がある。また、携帯機器の全体を凹部に入れるので、携帯機器の脱着を簡単にできない欠点がある。とくに、凹部に入れた携帯機器の取り出しに手間がかかる欠点がある。このような欠点は、たとえば、携帯機器を傾斜する姿勢で充電置台に設けた装着凹部に脱着できるように入れて充電する構造で解消できる。しかしながら、この構造の充電置台は、軽い携帯機器を確実に装着凹部にセットするのが難しくなる欠点がある。とくに、携帯機器の電源端子に、充電端子を弾性的に押圧すると、充電端子が携帯機器を押圧して定位置にセットできなくなることがある。
【０００５】
本発明は、さらにこのような欠点を解決することを目的に開発されたものである。本発明の重要な目的は、全体をコンパクトにできると共に、携帯機器を簡単かつ容易に脱着でき、しかも、携帯機器に内蔵している二次電池を確実に充電できる充電置台を提供することにある。
【０００６】
【課題を解決するための手段】
本発明の充電置台は、二次電池を内蔵する電子機器１を傾斜する姿勢で装着して、充電端子１３を機器１の電源端子１２に接続して、機器１に内蔵している二次電池を充電する。この充電置台は、機器１を脱着できるように装着する装着凹部３を上面に有するケース２と、このケース２に連結されると共に、装着された機器１を支持する支持体とを備える。この支持体は、機器１の非装着状態においては、機器１の装着状態での支持体の位置より、下方に位置するようにしている。
【０００７】
本発明の充電置台は、支持体を、開閉できる開閉蓋４として機能させることができる。この開閉蓋４は、回転軸５を介して開閉できるようにケース２に連結すると共に、開いて機器１を装着する状態で機器１の上面を係止する係止部９を上部に備えることができる。さらに、ケース２は、開閉蓋４の回転軸５が、回転できると共に、上下に移動できるように保持する軸穴６を設けることができる。
本明細書において開閉蓋４の上下方向は、開閉蓋４を開いた姿勢で特定するものとする。
【０００８】
開閉蓋４は、開いた状態で、ケース２に嵌合される嵌合凸部８を下方に突出するように備えることができる。ケース２は、開いた状態の開閉蓋４の回転軸５を、ケース２の軸穴６において、降下位置に位置させる状態で、開閉蓋４の嵌合凸部８を嵌合して開閉蓋４を保持する嵌合凹部７を備えることができる。この充電置台は、開閉蓋４の回転軸５を、ケース２の軸穴６において、上昇位置に位置させる状態で、開閉蓋４を開いて機器１を装着できると共に、開閉蓋４を開閉できる
【０００９】
さらに、本発明の充電置台は、充電する機器１を、二次電池を内蔵するデジタルカメラとすることができる。さらにまた、本発明の充電置台は、ケース２に設けている装着凹部３に、機器１の底面に配設される電源端子１２に弾性的に押圧して接触される充電端子１３を備えることができる。
【００１０】
【発明の実施の形態】
以下、本発明の実施例を図面に基づいて説明する。ただし、以下に示す実施例は、本発明の技術思想を具体化するための充電置台を例示するものであって、本発明は充電置台を以下のものに特定しない。
【００１１】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図２ないし図８に示す携帯機器の充電置台は、図２と図４に示すように、二次電池を内蔵する携帯機器１を傾斜する姿勢で装着して、携帯機器１に内蔵している二次電池を充電する。（なお、図において、２点鎖線で示される部分は、表面が曲面形状であることを示している。）
【００１３】
この状態で、充電置台に設けている充電端子１３は、携帯機器１の電源端子１２に接続される。電源端子１２は、小面積で平面状の金属片であり、充電端子１３は、金属棒を折曲したものである。携帯機器１を装着した状態で、充電端子１３が押圧した状態で電源端子１２に接触する。
【００１４】
充電端子１３は、充電置台に内蔵される充電回路（図示せず）に接続され、あるいは外部の充電回路に接続されて、携帯機器１の二次電池に充電電流を流す。図の充電置台は、携帯機器１を脱着できるように装着する装着凹部３を上面に有するプラスチック製ケース２と、この装着凹部３を開閉するようにケース２に連結されるプラスチック製開閉蓋４とを備える。
【００１５】
以下の実施例は、携帯機器１をデジタルカメラとして充電置台を詳述する。ただし、本発明の充電置台は、携帯機器をデジタルカメラに特定しない。携帯機器は、たとえばポータブルＭＤ、ゲーム機、ＰＤＡ等の二次電池を内蔵するもの、あるいは二次電池がパック加工されたパック電池であるもの等の電子機器とすることができる。
【００１６】
ケース２に設けている装着凹部３は、携帯機器１を傾斜する姿勢としてその底部を嵌着できる内形を有する。図のケース２は、ほぼ４５度に傾斜する姿勢で携帯機器１の下部を嵌合して保持できる内形の装着凹部３を上面に開口して設けている。ただし、本発明の充電置台は、携帯機器の前面又は背面が、水平面に対して３０〜８０度に傾斜する姿勢でケースの装着凹部に装着する構造とすることもできる。図の装着凹部３は、携帯機器１の底面と、背面及び前面の下端部を嵌合できる形状としている。装着凹部３は、携帯機器１の背面と底面と対向する面を背面と底面に沿う形状として、携帯機器１の前面と対向する面を垂直面３Ａとしている。前面と対向する面を垂直面３Ａとする装着凹部３は、携帯機器１を簡単に脱着しながら、携帯機器１を前後に位置ずれしないように装着できる。ただ、装着凹部は、図に示すよりも浅くして、ケースの背面と底面のみを装着凹部に入れる構造とすることもできる。
【００１７】
図の充電置台は、図２と図３に示すように、携帯機器１の一方の側部を装着凹部３から外部に突出させている。この充電置台は、ケース２の横幅を小さくして外形をコンパクトにできる特長がある。ただ、充電置台は、携帯機器の下部全体を装着凹部に入れてセットする構造とすることもできる。また、携帯機器の両側を装着凹部から突出させるようにケースに装着することもできる。
【００１８】
ケース２は、開閉蓋４の回転軸５を回転できるように連結する軸穴６と、開かれた開閉蓋４が傾斜された状態を保持できるように嵌合凹部７を有する。
開閉蓋４を備える本発明の充電置台は、以下のように、開閉蓋４を開閉することにより、使用することができる。
図７に示すように、充電置台を使用しないときは、開閉蓋４を閉める。この時、後述するように、回転軸５は、上昇位置にあることになる。
図７の状態より、開閉蓋４を回転軸５を中心に回転させ、開けることより、図１０、図５の状態に移行して、機器１を装着して充電することができる。この時、回転軸５は、上昇位置にあることになる。そして、この状態で、機器１を支持する支持体として、開閉蓋４は機能している。
図５の状態より、機器１を取り外し、非装着の状態にすると、開いた状態で開閉蓋４である支持体は、下方に移動することができる。この時、回転軸５は、図１１、図８に示すように、降下位置にあることになる。このような、機器１を非装着で、開閉蓋４が降下した状態は、本充電置台を使用して、機器１を頻繁に充電するときには、利用することができる。このとき、開閉蓋４が降下している分、低くなって、コンパクトになり、この状態で机の上等においていても邪魔になりにくく、引掛けて倒したりすることも少ない。
【００１９】
次に、詳細な構造について説明すると、開閉蓋４は、左右対称の構造を有しており、図９の概略斜視図に示すように、下端部の両側面から突出する一対の円柱状の回転軸５を有する。一対の回転軸５は、これを中心として開閉蓋４を回転させるので、互いに直線状に配設されている。ケース２は、一対の回転軸５を案内するために、装着凹部３の両側の内面に軸穴６を設けている。この図において、軸穴６の内周形状のみを点線で示している。図５、図７〜図１１においては、図３または図６のＡ−Ａ線、Ｂ−Ｂ線で示される充電置台の右側の構造を図示しているが、開閉蓋４及びこれを保持する部分の構造は、左右対称の構造であるので、左側の構造の説明は省略する。
【００２０】
軸穴６は、開閉蓋４の回転軸５を回転できるように、さらに上下に移動できるように保持、係止する。したがって、軸穴６は上下方向に伸びて設けられている。詳細には、軸穴６の外周形状は、側面視において、一つの頂部が上端にある略三角形である（図５、図１０、図１１参照）。
【００２１】
図１０と図１１は、軸穴６と回転軸５の相対位置を示している。ただし、これらの図は、ケース２に設けた軸穴６と開閉蓋４の回転軸５と位置関係をわかりやすくするために、ハッチングを省略している。図１０は、開閉蓋４を引き上げて回転軸５を上昇位置とする状態を示している。開閉蓋４は、回転軸５をこの図に示す上昇位置として、回転軸５を中心として、回転させ、開閉させることができる。図１１は、開閉蓋４を下げて回転軸５を降下位置とする状態を示している。開閉蓋４の回転軸５がこの図に示す降下位置にあると、開閉蓋４は、回転軸５を中心として回転することがなく、保持される。開閉蓋４の下端部に設けている嵌合凸部８がケース２の嵌合凹部７（図８参照）に嵌入されるからである。
【００２２】
ケース２は、開閉蓋４の嵌合凸部８を案内する嵌合凹部７を設けている。嵌合凹部７は、傾斜する姿勢に開かれた開閉蓋４の嵌合凸部８を嵌入して、開閉蓋４を回転しないように保持する。図の充電置台は、開かれた姿勢にある開閉蓋４の回転軸５を軸穴６の降下位置に位置させる姿勢として、開閉蓋４の嵌合凸部８を嵌合凹部７に嵌合して、開閉蓋４の回転を停止する。開閉蓋４は、前後の回転が阻止されるので、装着凹部３を閉じる方向にも、またその反対方向にも回転しない。この位置にある開閉蓋４は、回転しないが、嵌合凹部７から嵌合凸部８を引き抜くように、上方に引き上げることはできる。引き上げられる開閉蓋４は、開閉蓋４の傾斜方向、いいかえると、傾斜している開閉蓋４の表面と平行な方向には引き上げられる。
【００２３】
開閉蓋４が傾斜方向に移動できるように、嵌合凹部７は傾斜している。上下に移動する開閉蓋４は、装着凹部３の傾斜方向に移動して、嵌合凸部８を嵌合凹部７に出し入れする。図８ないし図１１に示す充電置台は、開閉蓋４の傾斜角度の方向である水平面に対して４５度の方向に開閉蓋４をスライドさせて、嵌合凸部８を嵌合凹部７に出し入れする。したがって、嵌合凹部７は、約４５度の方向に傾斜している。
【００２４】
図の開閉蓋４は、回転軸５と嵌合凸部８の両方で、回転軸５の降下位置において回転を停止する。開閉蓋４を引き上げて、嵌合凸部８を嵌合凹部７から引き抜くと、嵌合凸部８と嵌合凹部７の嵌着状態が解除されて、開閉蓋４は回転軸５を中心として回転される。
【００２５】
開閉蓋４は、装着凹部３の開口部を閉塞すると共に、開かれた姿勢では携帯機器１の背面を支持し、さらに、携帯機器１を装着凹部３から抜けないように保持する部材に併用される。この開閉蓋４は、回転軸５を介して開閉できるようにケース２に連結される。さらに、開閉蓋４は、開いた姿勢で携帯機器１の上面を係止する係止部９を上部に備えている。この開閉蓋４は、開かれた状態で、装着凹部３に装着している携帯機器１の背面を支持し、さらに、開閉蓋４の上部に設けている係止部９で携帯機器１を装着凹部３から抜けないように保持する。係止部９は、携帯機器１の上面を保持できるように、携帯機器１を保持する面に向かって略直角に折曲された形状としている。さらに、係止部９は、開閉蓋４を閉じた状態で、図６と図７に示すように、ケース２の前面に沿う形状としている。ケース２の前面には、係止部９を嵌合する凹部１０を設けており、開閉蓋４を閉じた状態で、開閉蓋４はケース２の表面と同一平面としている。
【００２６】
さらに、図の開閉蓋４は、携帯機器１を装着するときに回転しないように、下端に嵌合凸部８を設けている。開閉蓋４は、回転軸５よりも下方に突出して嵌合凸部８を設けている。嵌合凸部８は、開閉蓋４を開いた姿勢でケース２に設けている嵌合凹部７に案内されて、開閉蓋４を倒れないように保持する。図の開閉蓋４は、その下方において断面Ｌ字状の形状であって、直角折曲部１１を介して嵌合凸部８を開閉蓋４の本体部４Ａに連結している。直角折曲部１１は、本体部４Ａに対して充電置台の前方側に直角に折曲している。嵌合凸部８は、この直角折曲部１１に対して下方に直角に折曲している。嵌合凸部８と本体部４Ａを直角折曲部１１に対して直角に折曲しているので、嵌合凸部８と本体部４Ａは互いに平行な面内に位置する。回転軸５は、直角折曲部１１と嵌合凸部８との境界に位置する。
【００２７】
回転軸５は、開閉蓋４と一体に成形されていることより、一緒に上下に移動する。開閉蓋４は本体部４Ａの傾斜方向に向かって上下方向に移動するので、回転軸５を上下方向に移動させるように摺動して案内している軸穴６において前方側のガイド部６Ａは、図１０と図１１に示すように、開閉蓋４の傾斜方向に傾斜している。図の軸穴６の外周形状は、ガイド部６Ａを開閉蓋４の傾斜方向に傾斜させて、側面視において一つの頂部が上端にある略三角形である。ただし、軸穴は、開閉蓋の傾斜方向に伸びるスリットとすることもできる。
【００２８】
装着凹部３にセットした携帯機器１の二次電池を充電するために、図４の充電置台は、ケース２の装着凹部３に、携帯機器１の底面に配設される電源端子１２に弾性的に押圧して接触される充電端子１３を設けている。図の充電置台は、携帯機器１の底面に設けている電源端子１２と対向する位置に充電端子１３を配設している。充電端子１３は、弾性的に電源端子１２に押圧されて、電源端子１２に電気接続される。図示しないが、携帯機器は、背面の下端部に電源端子を設けるものもある。この携帯機器の二次電池を充電する充電置台は、装着凹部の内面であって、電源端子と対向する位置に充電端子を配設する。
【００２９】
以上の充電置台は、使用しないときは、図６と図７で示すように、開閉蓋４で装着凹部３の開口部を閉塞する。携帯機器１を装着して内蔵する二次電池を充電するときには以下のように使用する。
（１）  開閉蓋４を開く。このとき、回転軸５は軸穴６の上昇位置にある。開閉蓋４を閉じた状態で、回転軸５は軸穴６の上昇位置にあり、回転軸５がこの位置で開閉蓋４を開閉するからである。
（２）  開閉蓋４が開かれると、開閉蓋４は自重で降下する。降下するとき、図８に示すように、開閉蓋４の嵌合凸部８がケース２の嵌合凹部７に案内される。嵌合凸部８と嵌合凹部７は、開かれた開閉蓋４の回転を停止する。開閉蓋４をこの姿勢に開いて、装着凹部３に携帯機器１をセットする。
（３）  携帯機器１は、最初に下部を装着凹部３に入れ、その後、上部を開閉蓋４の係止部９の下に入れる。このとき、開閉蓋４は上昇される。係止部９を上昇させないと、携帯機器１を係止部９の下に入れることができないようにしているからである。すなわち、開閉蓋４が図８に示す降下位置にあるとき、係止部９は携帯機器１に当たって、係止部９の下に入れることができないようにしている。
（４）  開閉蓋４の係止部９が携帯機器１で上昇されると、図５に示すように、回転軸５は軸穴６の上昇位置に移動する。回転軸５はこれよりも上には移動できない。したがって、開閉蓋４の上昇が制限され、係止部９が携帯機器１の上面を押して、装着凹部３に抜けないように装着する。よって、充電端子と電源端子が確実に接触、導通することができる。開閉蓋４の上昇位置は、携帯機器１を装着凹部３に装着して、係止部９が携帯機器１の上面に接触する位置としている。
（５）  この状態で、装着凹部３に設けている充電端子１３が、携帯機器１の電源端子１２に接触して、携帯機器１の二次電池を充電する。
（６）  携帯機器１の二次電池が充電されると、携帯機器１を装着凹部３から取り出し、その後、開閉蓋４を閉じる。
また、本充電置台は、図８に示すように、開閉蓋４である支持体を、降下位置にして、置いておくこともできる。このような、機器１を非装着で、開閉蓋４が降下した状態は、本充電置台を使用して、機器１を頻繁に充電するときには、利用することができる。このとき、開閉蓋４が降下している分、低くなって、コンパクトになり、この状態で机の上等においていても邪魔になりにくく、引掛けて倒したりすることも少ない。
【００３０】
【発明の効果】
本発明の充電置台は、支持体を、機器の非装着状態においては、機器の装着状態での支持体の位置より、下方に位置することができる。このように、支持体が下方に位置する状態は、充電置台を別の場所に片付けることなく、机の上等において、頻繁に機器を充電する場合に利用することができる。このような状態においては、支持体が下方に位置する分、低くなって、コンパクトになり、この状態で机の上等に置いても邪魔になりにくく、引掛けて倒したりすることも少ない。さらに、本発明の充電置台は、全体をコンパクトにできると共に、携帯機器を簡単かつ容易に脱着して、携帯機器に内蔵している二次電池を確実に充電できる特長がある。それは、本発明の充電置台が、装着凹部を上面に有するケースと、この装着凹部を開閉するようにケースに連結された開閉蓋とを備え、開閉蓋を開いた状態で、開閉蓋が装着凹部に装着される携帯機器の背面を支持すると共に、開閉蓋の上部に設けている係止部で携帯機器を装着凹部から抜けないように保持しているからである。
さらには、支持体である開閉蓋が、開いた状態の降下位置においては、開閉蓋の嵌合凸部が嵌合されてケースに保持されることより、この状態より、開閉蓋を上昇位置に動かすだけで機器を装着し、充電することができる。  よって、閉じた状態より、開閉蓋を開けて機器を装着し、充電する場合と比較して、素早く機器を装着することができる。
【図面の簡単な説明】
【図１】従来の充電置台の断面図
【図２】本発明の一実施例にかかる充電置台に携帯機器を装着した状態を示す斜視図
【図３】図２に示す充電置台の平面図
【図４】図２に示す充電置台の側面図
【図５】図３に示す充電置台のＡ−Ａ線断面図
【図６】図２に示す充電置台の開閉蓋を閉じた状態を示す平面図
【図７】図６に示す充電置台のＢ−Ｂ線断面図
【図８】図６に示す充電置台の開閉蓋を開いた状態を示す断面図であって、図３、図６におけるＢ−Ｂ線が通過する断面に相当する図
【図９】開閉蓋の回転軸とケースの軸穴との連結構造を示す概略の分解斜視図
【図１０】開閉蓋を引き上げて回転軸を上昇位置とする状態を示す要部拡大図であって、図３、図６におけるＡ−Ａ線が通過する断面に相当する図
【図１１】開閉蓋を下げて回転軸を降下位置とする状態を示す要部拡大図であって、図３、図６におけるＡ−Ａ線が通過する断面に相当する図
【符号の説明】
１…機器
２…ケース
３…装着凹部            ３Ａ…垂直面
４…開閉蓋              ４Ａ…本体部
５…回転軸
６…軸穴                ６Ａ…ガイド部
７…嵌合凹部
８…嵌合凸部
９…係止部
１０…凹部
１１…直角折曲部
１２…電源端子
１３…充電端子
２１…携帯機器
２２…ケース
２３…凹部
２４…バネ
【図１】
2004228001.tif 000003
【図２】
2004228001.tif 000004
【図３】
2004228001.tif 000005
【図４】
2004228001.tif 000006
【図５】
2004228001.tif 000007
【図６】
2004228001.tif 000008
【図７】
2004228001.tif 000009
【図８】
2004228001.tif 000010
【図９】
2004228001.tif 000011
【図１０】
2004228001.tif 000012
【図１１】
2004228001.tif 000013